(57)【要約】      （修正有）【課題】衝撃発生時、ビーズクランパーが動き、製品から抜け落ちる可能性の少ない電源コードのビーズクランパー保持装置を提供する。【解決手段】テレビのような情報受信機やＤＶＤ等の記録再生装置等からなる電子機器に対して電源を供給する電源コードを保持するコード保持装置において、ビーズ玉を有し、電源コードを束ねるビーズクランパーと、ビーズクランパーのビーズ玉の直径よりも大きい径を供え、ビーズクランパーを保持する固定部２０１と、固定部２０１に保持されたビーズクランパーが固定部２０１から外れることを防止するフック部２０２とを備えた。【選択図】図２
2008288351.tif 000002
【特許請求の範囲】
【請求項１】
電子機器に対して電源を供給する電源コードを保持するコード保持装置であって、
ビーズ玉を有し、前記電源コードを束ねるビーズクランパーと、
前記ビーズクランパーのビーズ玉の直径よりも大きい径を供え、前記ビーズクランパーを保持する固定部と、
前記固定部に保持されたビーズクランパーが前記固定部から外れることを防止するフック部とを備えたことを特徴とするコード保持装置。
【請求項２】
前記フック部は、前記固定部から前記ビーズクランパーを取り出す方向に対して、前記ビーズクランパーを前記電子機器に保持する保持部材を設けたことを特徴とする請求項１記載のコード保持装置。
【発明の詳細な説明】
【技術分野】
【０００１】
本発明は、ＡＶ機器の電源コードの固定に関するもので、特に製品輸送時及び運搬時に電源コードを製品に仮固定する構造に関するものである。
【背景技術】
【０００２】
図６は、特許文献１に記載された従来のコード保持機構を示すものである。図６において、ビーズ玉の径よりも大きい径の透孔６０１と、ビーズ玉が通らない小径部６０２とを設けることにより、ビーズクランパーを固定していた。
【特許文献１】特公平１−００１９５６号公報
【発明の開示】
【発明が解決しようとする課題】
【０００３】
しかしながら、従来の電源コード固定では、ビーズクランパーが完全には固定されておらず、輸送時または運搬時の振動・落下の衝撃により、製品から外れてしまうという課題があった。
【０００４】
より具体的には、電源コードの保持構造は、輸送時または運搬時の衝撃発生時、一方向６０３に対してはビーズクランパーが動きやすくなってしまい、すべての方向に対してビーズクランパーの動きを抑制できず、結果、ビーズクランパーが孔６０１から抜け落ちる可能性があった。
【０００５】
本発明は、前記従来の課題を解決するもので、輸送時または運搬時の衝撃発生時にビーズクランパーの動きを抑制するこができ、製品に対し、確実にコードを固定させることを目的とする。
【課題を解決するための手段】
【０００６】
前記従来の課題を解決するために、本発明のコード保持装置は、電子機器に対して電源を供給する電源コードを保持するコード保持装置であって、ビーズ玉を有し、前記電源コードを束ねるビーズクランパーと、前記ビーズクランパーのビーズ玉の直径よりも大きい径を供え、前記ビーズクランパーを保持する固定部と、前記固定部に保持されたビーズクランパーが前記固定部から外れることを防止するフック部とを備えたことを特徴とするコード保持装置である。
【発明の効果】
【０００７】
上記の手段により、本願発明のコード保持装置においては、輸送時または運搬時の衝撃発生時に、電源コードの製品からの外れを防止することが可能になる。また、特に、突起形の固定部のタイプでは、ビーズクランパー先端又はその一部の位置決めが明確であるため、工場での製品組み立て工程において、作業者は非常に容易にビーズクランパーを固定できる。さらに、突起形の固定部および孔形の固定部のいずれのタイプにおいても、電源コードを取り外す際、容易に外すことができる。また、新たな部品を追加してビーズクランパーを固定するのではなく、同部品上で突起形および孔形、そしてフック形状を設けるのでコストを低減することが可能になる。
【発明を実施するための最良の形態】
【０００８】
以下本発明を実施するための最良の形態について、図面を参照しながら説明する。
【０００９】
（実施の形態１）
本発明のコード保持装置は、ビーズクランパーを固定する固定部と、フックを有する。ここで、固定部は、ビーズクランパーの先端若しくはその一部を固定する構造である。図２の２０１に示すように突起形で固定するタイプと、図４の４０１の孔形で固定する二つのタイプの構造が考えられる。なお、本発明は、これに限定されるものではなく、ビーズクランパーを固定できるものであれば良い。
【００１０】
次に、フック部について、図３を参照しながら説明する。前記固定部にビーズクランパーを固定させることで、ビーズクランパーの外れる方向が３０１方向の一方向のみに規制されることになる。従って、本願発明のコード保持装置では、前記構成に加え、フック２０２、４０２を設けることにより、３０１、５０１方向へのビーズクランパーの動きを抑制する。
【００１１】
つまり、例えば、テレビのような情報受信機やＤＶＤ等の記録再生装置等からなる電子機器に対して電源を供給する電源コードを保持するコード保持装置において、ビーズ玉を有し、電源コードを束ねるビーズクランパー１０２と、ビーズクランパー１０２のビーズ玉の直径よりも大きい径を供え、ビーズクランパーを保持する固定部２０１、４０１と、固定部２０１、４０１に保持されたビーズクランパー１０２が固定部２０１、４０１から外れることを防止するフック部２０２、４０２とを備えたことを特徴とするものである。ここで、このフック部２０２、４０２は、固定部２０１、４０１からビーズクランパー１０１を取り出す方向３０１に対して、ビーズクランパー１０１を電子機器（図示せず）に保持する保持部材を設けたことを特徴とするものである。
【００１２】
以上の構成により、本願発明のコード保持装置では、輸送時または運搬時の衝撃発生時に、ビーズクランパーの動きを完全に抑制する構造となる。
【００１３】
以下、図１から図５を参照して詳細に説明する。
【００１４】
図２を参照しながら、本願発明のコード保持装置の構成について説明する。図２の突起形固定部２０１に電源コード１０１のビーズクランパー１０２の先端を固定する。なお、本実施の形態においては、ビーズクランパー１０２の先端部分を固定部２０１に固定する構成について説明しているが、本願発明は、これに限定されるものではなく、ビーズクランパー１０２の一部を固定することにより、ビーズクランパー１０２のビーズ玉が固定部２０１に固定される構成であればよい。
【００１５】
また、フック部２０２は、固定部２０１、４０１に保持されたビーズクランパー１０２が固定部２０１、４０１から外れることを防止する構成であればいかなる形状でもよく、図２には、固定部２０１とフック部２０２が別体により構成する方法について説明しているが、本願発明はこれに限定されるものではなく、一体型で構成することも可能である。
【００１６】
次に、図３を参照しながら、このコード保持装置の動作について説明する。図３は、ビーズクランパー１０２が固定部２０１及びフック部２０２に固定されている状態を示している。図６に示す従来の構成と比較すると固定部２０１がビーズクランパー１０２のビーズ玉の直径よりも大きい径からなる保持部を備えており、その部分にビーズクランパー１０２を挿入するのみで固定部２０１に固定することが可能になることから製造工程において、非常に容易にビーズクランパー１０２を固定することが可能になることがわかる。
【００１７】
また、フック部２０２には、ビーズクランパー１０２のビーズ玉の直径よりも小さい切掛け部が上方に設けられており、この部分にビーズ玉とビーズ玉の間の接続部を通すことにより、フック部２０２にビーズクランパー１０２を固定することが可能になる。
【００１８】
この状態において、輸送時および運搬時の、振動・落下の衝撃が発生した場合には、固定部２０１においては、３０１方向と垂直方向に対してはビーズクランパー１０２を固定することが可能になるものの、３０１方向のみビーズクランパー１０２が外れる可能性が生じる。
【００１９】
そこで、本願発明のコード保持装置においては、フック部２０２により、３０１方向の動きを規制する。これにより、本願発明のコード保持装置においては、輸送時または運搬時の衝撃発生時に、電源コードの製品からの外れを防止することが可能になる。また、特に、突起形の固定部のタイプでは、ビーズクランパー先端又はその一部の位置決めが明確であるため、工場での製品組み立て工程において、作業者は非常に容易にビーズクランパーを固定できる。さらに、突起形の固定部および孔形の固定部のいずれのタイプにおいても、電源コードを取り外す際、容易に外すことができる。また、新たな部品を追加してビーズクランパーを固定するのではなく、同部品上で突起形および孔形、そしてフック形状を設けるのでコストを低減することが可能になる。
【００２０】
なお、本願発明のコード保持装置においては、固定部の形状はもう一つ別の形態４０１があり、上述したコード保持装置と同様にまず固定部４０１に電源コード１０１のビーズクランパー１０２の先端を固定する。つづいて、ビーズクランパー１０２をフック４０２に通し、これにより、コードが製品に対し保持される。図５が保持された状態の図である。
【００２１】
図３および図５のコード保持状態の場合、輸送時および運搬時の、振動・落下の衝撃が発生した場合でも、電源コードは電子機器に対し完全に保持される。
【００２２】
なお、本願発明の電子機器については、テレビのような情報受信機やＤＶＤ等の記録再生装置の例について説明したが、本願発明はこれに限定されるものではなく、電源コードを有する電子機器であれば、その種類を限定するものではない。
【産業上の利用可能性】
【００２３】
本発明にかかるコード保持機構は、電子機器のコード保持装置として有用である。
【図面の簡単な説明】
【００２４】
【図１】電源コードの斜視図
【図２】突起形固定部とフックの斜視図
【図３】電源コードを保持した時の斜視図
【図４】孔形固定部とフックの斜視図
【図５】電源コードを保持した時の斜視図
【図６】従来のコード保持構造の構成の一例を示す図
【符号の説明】
【００２５】
２０１    電源コードビーズクランパー
２０２    突起形固定部フックビーズクランパーが動く方向孔形固定部フック
【図１】
2008288351.tif 000003
【図２】
2008288351.tif 000004
【図３】
2008288351.tif 000005
【図４】
2008288351.tif 000006
【図５】
2008288351.tif 000007
【図６】
2008288351.tif 000008